【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
表示画面を有する電子デバイスを分析する方法であって、前記方法は、
第１の所定の照明環境内において前記電子デバイスを画像化して、第１の画像を生成することと、
第２の所定の照明環境内において前記電子デバイスを画像化して、第２の画像を生成することと、
前記第１の画像および前記第２の画像から合成画像を生成することであって、前記合成画像は、前記表示画面がオフである前記電子デバイスの画像に類似するように生成される、ことと、
前記合成画像とトレーニング画像とを比較することと
を含む、方法。
【請求項２】
前記合成画像と前記トレーニング画像とを比較することは、前記合成画像と前記トレーニング画像とを比較して、前記表示画面に欠陥があるかを決定することを含む、請求項１に記載の方法。
【請求項３】
前記第２の画像を乗数で乗算して、前記表示画面の輝度変化を考慮に入れることをさらに含む、請求項１または２に記載の方法。
【請求項４】
前記電子デバイスは、携帯電話、タブレットコンピュータまたはｅリーダーである、請求項１〜３のいずれか一項に記載の方法。
【請求項５】
前記表示画面が複数の色を含むが発光はしていないことを決定することと、
前記電子デバイスが真正ではないことを決定することと
をさらに含む、請求項１〜４のいずれか一項に記載の方法。
【請求項６】
色エントロピー計量を用いて、前記表示画面内の亀裂を検出することをさらに含む、請求項１〜５のいずれか一項に記載の方法。
【請求項７】
前記トレーニング画像は、完全な状態における前記電子デバイスの画像である、請求項１〜６のいずれか一項に記載の方法。
【請求項８】
前記電子デバイスの値を決定することをさらに含む、請求項１〜７のいずれか一項に記載の方法。
【請求項９】
前記電子デバイスの前記値の決定後に前記電子デバイスを自動的にビニングすることをさらに含む、請求項８に記載の方法。
【請求項１０】
前記合成画像と前記トレーニング画像とを比較することは、前記合成画像と前記トレーニング画像とを比較して、前記電子デバイスを特定することを含む、請求項１〜９のいずれか一項に記載の方法。
【請求項１１】
前記合成画像と前記トレーニング画像とを比較することは、前記合成画像と前記トレーニング画像とを比較して、前記電子デバイスを真正と認めることを含む、請求項１〜１０のいずれか一項に記載の方法。
【請求項１２】
前記合成画像を生成することは、前記第１の画像から前記第２の画像をサブトラクトすることを含む、請求項１〜１１のいずれか一項に記載の方法。
【請求項１３】
キオスクの検査領域において前記電子デバイスを受け取ることをさらに含み、前記検査領域は、光源を有し、
前記第１の所定の照明環境内において前記電子デバイスを画像化することは、前記光源がオンである間に前記検査領域において前記電子デバイスを画像化することを含み、
前記第２の所定の照明環境内において前記電子デバイスを画像化することは、前記光源がオフである間に前記検査領域において前記電子デバイスを画像化することを含む、
請求項１〜１２のいずれか一項に記載の方法。
【請求項１４】
前記電子デバイスと引き換えに前記キオスクのユーザに現金を分配することをさらに含む、請求項１３に記載の方法。
【請求項１５】
前記第１の所定の照明環境内において前記電子デバイスを画像化することは、前記表示画面がアクティブである間に前記第１の所定の照明環境内において前記電子デバイスを画像化することを含み、
前記第２の所定の照明環境内において前記電子デバイスを画像化することは、前記表示画面がアクティブである間に前記第２の所定の照明環境内において前記電子デバイスを画像化することを含む、
請求項１〜１４のいずれか一項に記載の方法。
【手続補正２】
【補正対象書類名】明細書
【補正対象項目名】００１７
【補正方法】変更
【補正の内容】
【００１７】
本発明のさらに別の態様は、ドーム形状の装置である。ドーム形状の装置は、上側ドームおよび下側ドームを含む。上側および下側ドームは、複数の壁を含む。複数の壁は、鏡によって構成される。ドーム形状の装置は、透明表面と、少なくとも１つのカメラとをさらに含む。カメラは、ドーム形状の装置内に配置された電子デバイスの３６０度ビューを得ることができる。上側ドームは好適には、上側チャンバカメラを含む。下側ドームは好適には、下側チャンバカメラを含む。好適には、上側ドームおよび下側ドームカメラそれぞれならびに複数の鏡の組み合わせにより、透明表面上に配置されたデバイスの画像が得られる。好適には、上側ドームおよび下側ドームカメラそれぞれならびに複数の鏡の組み合わせにより、透明表面上に配置された電子デバイスの３６０度が得られる。上側ドームおよび下側ドームカメラはそれぞれ、移動可能である。
本発明は、例えば、以下を提供する。
（項目１）
電子デバイスの提出について、前記電子デバイスおよびユーザに対する金銭的対価を分析する方法であって、
電子デバイスをキオスクの検査領域内に配置することであって、前記検査領域は光源を有する、ことと、
前記電子デバイスを画像化して第１の画像を生成することであって、前記検査領域の前記光源はオンである、ことと、
前記電子デバイスを画像化して、前記電子デバイスの分析画像を生成することであって、前記検査領域の前記光はオフである、ことと、
前記電子デバイスの前記分析画像を前記電子デバイスの前記第１の画像からサブトラクトして、前記電子デバイスの合成画像を生成することと、
前記電子デバイスの前記合成画像と、電子デバイスの複数のトレーニング画像とを比較して、前記電子デバイスを特定し、前記電子デバイスに欠陥があるかを決定し、分析された電子デバイスを規定することと、
前記分析された電子デバイスの値を決定することと、
を含む、方法。
（項目２）
前記分析された電子デバイスの前記値の決定後に前記電子デバイスを自動的にビニングすることをさらに含む、項目１に記載の方法。
（項目３）
前記分析画像を乗数で乗算して、画面の任意の輝度変化を考慮に入れることをさらに含む、項目１に記載の方法。
（項目４）
電子デバイスの提出について、前記電子デバイスおよびユーザに対する金銭的対価を分析する方法であって、
電子デバイスの一部を画像化することであって、前記一部は、前記電子デバイスの表示画面を含み、前記画像化することにより、部分的画像が得られる、ことと、
前記電子デバイスの前記一部を画像化することであって、前記一部は、前記電子デバイスの前記表示画面を含み、前記環境が点灯すると、点灯画像が得られる、ことと、
検査領域内に配置された少なくとも１つのカメラによって得られた前記電子デバイスの前記部分的画像を検査して、前記電子デバイスの寸法を決定することと、
前記電子デバイスの前記点灯画像を検査して、前記電子デバイスの画面領域に任意の欠陥があるかを決定し、分析された電子デバイスを規定することと、
前記分析された電子デバイスの値を決定することと、
を含む、方法。
（項目５）
前記キオスクは、
ハウジングと、
前記ユーザによる情報入力のために前記ハウジングの外面上に設けられたユーザインターフェースと、
上側チャンバおよび下側チャンバと、
をさらに含み、
前記上側チャンバは、複数の鏡、上側チャンバカメラ、下側チャンバカメラ、透明表面およびプロセッサを含み、前記プロセッサは、前記ハウジング内に設けられ、前記少なくとも１つのカメラと通信し、前記プロセッサは、前記ユーザからの前記情報および前記少なくとも１つのカメラからの前記画像のうち少なくとも１つに基づいて前記電子デバイスのブランドおよびモデル番号を特定するように構成され、前記プロセッサは、前記電子デ
バイスの金銭的対価の値を決定するように構成される、
項目１〜４のいずれか１項に記載の方法。
（項目６）
前記部分的画像からの前記情報は、前記電子デバイスの前記カメラレンズの位置を含む、項目４に記載の方法。
（項目７）
前記電子デバイスは、携帯電話、タブレットコンピュータまたはｅリーダーのうち１つを含む、項目４に記載の方法。
（項目８）
電子デバイスの提出について、前記電子デバイスおよびユーザに対する金銭的対価を分析する方法であって、
電子デバイスをキオスクの検査領域内に配置することであって、前記検査領域は、カメラを有する、ことと、
前記電子デバイスを画像化して前記電子デバイスの輪郭画像を生成することと、
前記輪郭画像に基づいて前記電子デバイスの複数のパラメータを生成することと、
前記輪郭画像の前記複数のパラメータと、電子デバイスの複数のトレーニング画像とを比較して、前記電子デバイスを特定することと、
を含む、方法。
（項目９）
前記複数のパラメータは、前記電子デバイスの寸法を含む、項目８に記載の方法。
（項目１０）
前記電子デバイスの複数のパラメータを生成することは、前記電子デバイスの側部のサイズを決定することを含む、項目８に記載の方法。
（項目１１）
前記電子デバイスの少なくとも１つの照射画像を生成して、前記電子デバイスのテクスチャを決定することをさらに含む、項目８に記載の方法。
（項目１２）
前記電子デバイスの値を決定することをさらに含む、項目８に記載の方法。
（項目１３）
前記キオスクは、
ハウジングと、
前記ユーザによる情報入力のために前記ハウジングの外面上に設けられたユーザインターフェースと、
上側チャンバおよび下側チャンバと、
をさらに含み、
前記上側チャンバは、複数の鏡、上側チャンバカメラ、透明表面およびプロセッサを含み、前記プロセッサは、前記ハウジング内に設けられ、前記少なくとも１つのカメラと通信する、
項目８に記載の方法。
（項目１４）
前記プロセッサは、前記ユーザからの前記情報および前記少なくとも１つのカメラからの前記画像のうち少なくとも１つに基づいて前記電子デバイスのブランドおよびモデル番号を特定するように構成され、前記プロセッサは、前記電子デバイスの金銭的対価の値を決定するように構成される、項目１３に記載の方法。
（項目１５）
電子デバイスの提出について、前記電子デバイスおよびユーザに対する金銭的対価を分析する方法であって、
前記電子デバイスを検査領域内に配置することと、
第１の所定の照明環境内において前記電子デバイスを画像化して、第１の画像を生成することと、
第２の所定の照明環境内において前記電子デバイスを画像化して、第２の画像を生成することと、
前記第１の画像および前記第２の画像から前記電子デバイスの合成画像を生成することであって、前記合成画像は、前記表示画面がオフである場合に想定される前記電子デバイスの画像に類似するように生成される、ことと、
前記合成画像と、複数の電子デバイスのトレーニング画像とを比較して、前記電子デバイスの特定を決定することと、
を含む、方法。
（項目１６）
前記電子デバイスは、携帯電話、タブレットコンピュータまたはｅリーダーのうちの１つを含む、項目１５に記載の方法。
（項目１７）
電子デバイスを分析して前記電子デバイスの真正性を決定し、前記電子デバイスが真正である場合に前記電子デバイスの提出についてユーザに対する金銭的対価を提供する方法であって、
電子デバイスをキオスクの検査領域内に配置することであって、前記検査領域は、光を有する、ことと、
前記電子デバイスを画像化することであって、前記検査領域の前記光をオンにして、第１の画像を生成することと、
前記電子デバイスを画像化することであって、前記検査領域の前記光をオフにして、前記電子デバイスの分析画像を生成することと、
電子デバイスの表示画面が複数の色を含むが発光はしていないことを決定することと、
前記電子デバイスが真正ではないことを決定することと、
を含む、方法。
（項目１８）
前記キオスクは、
ハウジングと、
前記ユーザによる情報入力のために前記ハウジングの外面上に設けられたユーザインターフェースと、
上側チャンバおよび下側チャンバと、
をさらに含み、
前記上側チャンバは、複数の鏡、上側チャンバカメラ、下側チャンバカメラ、透明表面およびプロセッサを含み、前記プロセッサは、前記ハウジング内に設けられ、前記少なくとも１つのカメラと通信し、前記プロセッサは、前記ユーザからの前記情報および前記少なくとも１つのカメラからの前記画像のうち少なくとも１つに基づいて前記電子デバイスのブランドおよびモデル番号を特定するように構成され、前記プロセッサは、前記電子デ
バイスの金銭的対価の値を決定するように構成される、
項目１７に記載の方法。
（項目１９）
色エントロピー計量を用いることをさらに含む、項目１７に記載の方法。
（項目２０）
前記表示画面内の亀裂を検出することをさらに含む、項目１７に記載の方法。